(57)【要約】【課題】熱膨張や経年劣化により接地取付箇所カバーが取付け箇所から移動することを防止する接地取付箇所カバーリングを提供する。【解決手段】リング形状を有する絶縁性のリング本体１０は、リング本体１０の一部に切断部１５を有し、切断部１５の一方にはフック部２０を有し、切断部１５の他方にはフック受部２５を有し、リング本体１０の内側には、容易に変形し、接地取付箇所カバーを把持するための蛇腹部３０を有し、リング本体１０の外側の切断部１５に対向する位置には、リング形状が容易に変形し、蛇腹部３０が接地取付箇所カバーを把持するための切り欠き部３５を有し、フック部２０とフック受部２５とが嵌合することにより、蛇腹部３０が接地取付箇所カバーを把持する。【選択図】      図１
2012186982.tif 000002
【特許請求の範囲】
【請求項１】
配電線の接地取付箇所カバーに取付けられる接地取付箇所カバーリングであって、
リング形状を有する絶縁性のリング本体は、前記リング本体の一部に切断部を有し、
前記切断部の一方にはフック部を有し、前記切断部の他方にはフック受部を有し、
前記リング本体の内側には、容易に変形し、前記接地取付箇所カバーを把持するための蛇腹部を有し、
前記リング本体の外側の前記切断部に対向する位置には、前記リング形状が容易に変形し、前記蛇腹部が前記接地取付箇所カバーを把持するための切り欠き部を有し、
前記フック部と前記フック受部とが嵌合することにより、前記蛇腹部が前記接地取付箇所カバーを把持することを特徴とする接地取付箇所カバーリング。
【発明の詳細な説明】
【技術分野】
【０００１】
本発明は、配電線の接地箇所に取付けられる接地取付箇所カバーに用いられるリングに係り、より詳しくは、熱膨張や経年劣化により当該カバーが取付け箇所から移動することを防止する接地取付箇所カバーリングに関する。
【背景技術】
【０００２】
配電線の所定の箇所には、一部被覆を取り除いた接地箇所が設けられ、通常はカバーで覆われているが、配電線の点検、切換え等を行う際には、この接地箇所が接地を取るために利用されている。図３は、接地取付箇所カバーの構造を示すカバー構造図である。図３ａ、ｂにおいて、接地取付箇所カバーは、のり巻き構造を成し、長方形のカバー本体５０と、長方形の一方の長辺側にあって、長辺方向に左右に、３個ずつの、配電線の接地箇所を把持する接地箇所把持部５５とを有している。この長方形のカバー本体５０は、加熱され、のり巻き状に可撓性を有する筒状の形状に塑性変形され、これを伸ばして、配電線の電線被覆部６０の一部が取り除かれた電線接地箇所７０に巻き付けられている。
【０００３】
ところが、この接地取付箇所カバーは、熱膨張や経年劣化により、カバー本体５０が広がって、接地箇所把持部５５が浮き上がることにより、移動を防止する機能を失い、電線被覆部６０の方向に移動してしまうという不具合を生じる場合がある。
【０００４】
特許文献１には、絶縁電線カバー装置１０は、ジャンパ線１の回りに弾力を有する絶縁シートを周方向３９に重複するようにして絶縁筒状体３０を形成し、重複部分３１に仮留め機能を有すると共に、重複部分３１に絶縁性接着剤を施し、仮留め構造３５は、重複部分３１の外側絶縁シート３３の内面に絶縁筒状体３０の長手方向に延びる凹部２３を形成し、重複部分３１の内側絶縁シート３２の外面に絶縁筒状体３０の長手方向に延びる凸部２４を形成し、凹部２３と凸部２４とで嵌め込み可能なものの記載がある。
【先行技術文献】
【特許文献】
【０００５】
【特許文献１】特開２００７−１４１２３号公報
【発明の概要】
【発明が解決しようとする課題】
【０００６】
本発明は、このような問題を解決するためになされたものであり、その目的は、熱膨張や経年劣化により接地取付箇所カバーが取付け箇所から移動することを防止する接地取付箇所カバーリングを提供する。
【課題を解決するための手段】
【０００７】
本発明の接地取付箇所カバーリングは、配電線の接地取付箇所カバーに取付けられる接地取付箇所カバーリングであって、リング形状を有する絶縁性のリング本体は、リング本体の一部に切断部を有し、切断部の一方にはフック部を有し、切断部の他方にはフック受部を有し、リング本体の内側には、容易に変形し、接地取付箇所カバーを把持するための蛇腹部を有し、リング本体の外側の切断部に対向する位置には、リング形状が容易に変形し、蛇腹部が接地取付箇所カバーを把持するための切り欠き部を有し、フック部とフック受部とが嵌合することにより、蛇腹部が接地取付箇所カバーを把持することを特徴とする。
【発明の効果】
【０００８】
本発明によれば、熱膨張や経年劣化により接地取付箇所カバーが取付け箇所から移動することを防止する接地取付箇所カバーリングを提供することができる。
【図面の簡単な説明】
【０００９】
【図１】本発明による接地取付箇所カバーリングの構造図。
【図２】本発明の接地取付箇所カバーリングの取付け図。
【図３】接地取付箇所カバーの構造図。
【発明を実施するための形態】
【実施例】
【００１０】
本発明の実施の形態について、図を用いて説明する。図１は、本発明による接地取付箇所カバーリングの構造図である。図１ａ、ｂにおいて、接地取付箇所カバーリング１００は、リング形状を有する絶縁性のリング本体１０を成し、リング本体１０は、リング本体１０の一部に切断部１５を有している。この切断部１５の一方にはフック部２０を有し、切断部１５の他方にはフック受部２５を有している。
【００１１】
リング本体１０の内側には、容易に変形し、接地取付箇所カバーのカバー本体５０を把持するための蛇腹部３０を有している。リング本体１０の外側の切断部１５に対向する位置には、リング形状が容易に変形し、蛇腹部３０が接地取付箇所カバーのカバー本体５０を把持するための切り欠き部３５を有している。また、フック部２０とフック受部２５とが嵌合することにより、蛇腹部３０は、電線設置箇所７０から横ズレを生じないよう十分にカバー本体５０を把持する。
【００１２】
図２は、本発明の接地取付箇所カバーリングの取付け図である。図２ａにおいて、接地取付箇所カバーのカバー本体５０は、図３において説明したと同様に取付けられている。接地取付箇所カバーリング１００は、カバー本体５０の両端に取付けられている。また、図２ｂにおいて、接地取付箇所カバーリング１００は、接地取付箇所カバーのカバー本体５０の中央部に取付けられている。このように、接地取付箇所カバーリング１００がカバー本体５０に取付けられることにより、カバー本体５０が締め付けられ、接地箇所把持部５５はより強く電線接地箇所７０を把持するため、カバー本体５０の横ズレを防止することが可能となる。
【００１３】
以上説明したように本発明によれば、熱膨張や経年劣化により接地取付箇所カバーが取付け箇所から移動することを防止する接地取付箇所カバーリングを提供することができる。また、接地作業時においては、絶縁性のリング本体をニッパ等の工具類で切断することにより、接地取付箇所カバーを横移動させて接地作業を行い、作業が終了すると、再び接地取付箇所カバーを元の位置に戻し、当該カバーリングを取付けて、接地取付箇所カバーの横移動を防止することが可能となる。
【符号の説明】
【００１４】
１０  リング本体
１５  切断部
２０  フック部
２５  フック受部
３０  蛇腹部
３５  切り欠き部
５０  カバー本体
５５  接地箇所把持部
６０  電線被覆部
７０  電線接地箇所
１００  本発明の接地取付箇所カバーリング
【図１】
2012186982.tif 000003
【図２】
2012186982.tif 000004
【図３】
2012186982.tif 000005